(57)【要約】ＬＣＤモニター（ＭＯＮ）は、表示ビデオ信号（ＶＳ２）を表示するＬＣＤパネル（ＬＰ）と、このＬＣＤパネル（ＬＰ）を照明する発光ユニット（ＬＵ）とを有する。パーソナルコンピュータ（ＰＣ）は、入力ビデオ信号（ＶＳ）と表示ビデオ信号（ＶＳ２）の一部の輝度が増大しなければならないことを示す制御信号（ＣＩ）とを供給する。ＬＣＤユニット（ＭＯＮ）は、制御信号（ＣＩ）が輝度を増大させることを示すとき、発光ユニットの光出力を既定量だけ増大させる。本システムは更に、制御信号（ＣＩ）が輝度を増大させることを示すとき、前記ビデオ信号の一部の外側にあるビデオ信号の振幅を減少させる振幅修正手段を有する。このようにして、表示画像の残りの部分に関して、ビデオ信号の一部に対応する表示画像の一部の輝度を増大させることが可能である。
2004518174.tif 000002
【特許請求の範囲】
【請求項１】
ビデオ信号の一部の輝度を増大させるシステムにおいて、前記システムは、
−前記ビデオ信号及び制御情報を供給する信号発生ユニット、及び
−前記ビデオ信号を表示するＬＣＤ装置と、前記制御情報に応じて前記ＬＣＤ装置を照明する光の量を増大させる発光ユニットとを持つＬＣＤユニット、
を有し、更に前記制御情報に応じて前記ビデオ信号の前記一部の外側にある前記ビデオ信号の振幅を減少させるビデオ振幅修正手段を有するシステム。
【請求項２】
請求項１に記載のシステムにおいて、
−前記ＬＣＤユニットは、入力ビデオ信号を入力し、表示ビデオ信号を前記ＬＣＤ装置に供給するビデオ処理回路を有し、
−前記信号発生ユニットは、前記入力ビデオ信号を供給するビデオアダプタ及び前記制御情報を発生させる制御回路を有する、
システム。
【請求項３】
請求項２に記載のシステムにおいて、前記振幅修正手段は、前記ビデオ信号の前記一部に属さない前記表示ビデオ信号の光出力及び比色がほぼ一定に保たれるように、前記ビデオ信号の前記一部の外側にある前記表示ビデオ信号の振幅を減少させるシステム。
【請求項４】
請求項３に記載のシステムにおいて、前記振幅修正手段は、前記ビデオ信号の前記一部に属さない前記表示ビデオ信号の色もほぼ一定に保たれるように、前記ビデオ信号の前記一部の外側にある前記表示ビデオ信号の振幅を減少させるシステム。
【請求項５】
請求項２に記載のシステムにおいて、前記振幅修正手段は、前記入力ビデオ信号を入力し、前記入力ビデオ信号の振幅を前記制御情報に応じて制御する制御可能な増幅器を有するシステム。
【請求項６】
請求項２に記載のシステムにおいて、前記振幅修正手段は、前記入力ビデオ信号を入力し、前記入力ビデオ信号の振幅を前記制御情報に応じて制御するルックアップテーブルが記憶されたメモリを有するシステム。
【請求項７】
請求項２に記載のシステムにおいて、前記ビデオアダプタからビデオデータを入力し、前記ビデオデータの振幅を前記制御情報に応じて制御し、前記ビデオ信号の前記一部に対応する部分の振幅よりも小さい前記ビデオ信号の一部に対応しない部分の振幅を持つ前記入力ビデオ信号を得る前記振幅修正手段を有するシステム。
【請求項８】
請求項２に記載のシステムにおいて、前記ビデオアダプタは、ビデオメモリを有し、前記制御ユニットは、適当なビデオデータを前記ビデオメモリに書き込むように適当にプログラムされ、前記ビデオ信号の前記一部に対応する部分の振幅よりも小さな前記ビデオ信号の前記一部に対応しない部分の振幅を持つ前記入力ビデオ信号を得る計算ユニットを有するシステム。
【請求項９】
請求項２に記載のシステムにおいて、前記信号発生ユニットは、ユーザー入力を入力するための入力装置を有し、前記制御ユニットは、前記発行ユニットの光出力が増大しなければならない既定量を示す前記ユーザー入力に応じて前記制御情報を発生させるように適当にプログラムされたシステム。
【請求項１０】
請求項２に記載のシステムにおいて、前記信号発生ユニットは、前記制御情報を符号化メッセージとして供給する符号化器を有し、前記ＬＣＤユニットは、前記メッセージを復号し、前記発光ユニットの光出力を増大させるために、当該発光ユニットに供給される制御信号を得る復号器を有するシステム。
【請求項１１】
請求項８に記載のシステムにおいて、前記符号化器は、前記ビデオ又は同期信号内で前記符号化メッセージを符号化するビデオ符号化器を有するシステム。
【請求項１２】
請求項９に記載のシステムにおいて、前記符号化メッセージは、前記発行ユニットの光出力が増大しなければならない量を示すシステム。
【請求項１３】
−ＬＣＤユニットと接続するためのインタフェース、
−前記インタフェースにビデオ信号を供給するためのビデオアダプタ、及び
−前記発光ユニットの光出力の増大が要求されることを前記ＬＣＤユニットの前記発光ユニットに示す制御情報を前記インタフェースに供給する輝度制御ユニット、
を有するコンピュータ。
【請求項１４】
請求項１３に記載のコンピュータにおいて、輝度が増大しなければならない前記ビデオ信号の一部の外側にある前記ビデオ信号の振幅を減少させるビデオ振幅修正手段を更に有するコンピュータ。
【請求項１５】
−コンピュータからビデオ信号及び制御情報を入力するインタフェース、
−前記ビデオ信号を表示するＬＣＤ装置、
−前記ＬＣＤ装置を照明する光の量を増大させる前記制御情報を入力する発光ユニット、及び
−前記制御情報により示される輝度が増大しなければならない前記ビデオ信号の一部の外側にある前記ビデオ信号の振幅を減少させるビデオ振幅修正手段、
を有するＬＣＤモニター。
【請求項１６】
ビデオ信号の一部の輝度を増大させる方法において、
−前記ビデオ信号及び制御情報を供給するステップ、
−前記ビデオ信号をＬＣＤ装置上に表示し、前記ＬＣＤ装置を照明する光の量を前記制御情報に応じて増大させるステップ、及び
−前記表示ビデオの前記一部の外側にある前記ビデオ信号の振幅を前記制御情報に応じて減少させるステップ、
を有する方法。
【発明の詳細な説明】
【０００１】
【発明の属する技術分野】
本発明は、液晶表示装置（他にはＬＣＤとも呼ばれる）モニター上に表示されるビデオ信号の一部の輝度を増大させるシステム及び方法、コンピュータ並びにＬＣＤモニターに関する。
【０００２】
【従来の技術】
ヨーロッパ特許公開公報ＥＰ−Ａ−９５７６３１号は、モニター及びコンピュータのシステムを開示している。このコンピュータは、モニターに表示されるべき表示データと、この表示データの窓を決める座標とを発生させる。この窓における表示データが比較的低い帯域幅を持つビデオ情報（写真又は映画）である場合、その輝度は、視覚的印象を改善するために増大される。この窓の外側にあるビデオデータの輝度及びカラリメトリ（ｃｏｌｏｒｉｍｅｔｒｙ）は、一定に保たれる。この特徴は、ユーザーに写真又はビデオクリップのような実際の画像をＴＶセットと同じコントラスト及び輝度で表示するコンピュータのモニターを提供する。テキストを含んでいる他の窓におけるビデオ情報の輝度は、陰極線管内の電子ビームの大きすぎるスポットが原因による該テキストの読み易さの減少から守るために増大されることはない。この従来技術は、窓の座標をコンピュータからモニターへ転送することに関する。
【０００３】
ＬＣＤは、表示すべきビデオ信号に従って、ＬＣＤのセルの透過度又は反射率を制御することによりＬＣＤスクリーン上に画像を発生させる。発光システムは、このＬＣＤのセルを通過する又はこのセルで反射される光を発生する。ＬＣＤのセルは、このセルにかかる電圧に依存して、少ない又は多くの透過又は反射状態となる。
【０００４】
陰極線管を備えるモニターにおいて、選択されたエリアにおいて陰極を過度に働かせる（オーバードライブさせる）ことは、この選択エリアの位置で陰極線管のスクリーン上への光出力を増大させる。しかしながら、任意のエリアの位置で、発光システムの光出力を局部的に増大させるように、ＬＣＤモニターの発光システムを駆動させることは非常に難しい。
【０００５】
【発明が解決しようとする課題】
本発明の目的は、ＬＣＤ又はＤＭＤ（ｄｅｆｌｅｃｔａｂｌｅ ｍｉｒｒｏｒ ｄｅｖｉｃｅｓ）のようなマトリックス表示装置の選択エリアにおける光出力を増大させる解法を提供することである。
【０００６】
【課題を解決するための手段】
このために、本発明の第１の様相は、請求項１に規定されるようなビデオ信号の一部の輝度を増大させるシステムを提供する。本発明の第２の様相は、ＬＣＤモニターが請求項１３に規定されるようなビデオ信号の一部の輝度を増大させることを可能にするのに必要な信号を供給するコンピュータを提供する。本発明の第３の様相は、請求項１５に規定されるようなビデオ信号の一部の輝度を増大させることを可能にするＬＣＤモニターを提供する。本発明の第４の様相は、請求項１６に規定されるようなビデオ信号の一部の輝度を増大させる方法を提供する。有利な実施例は従属請求項に規定される。
【０００７】
本発明は、最新のＬＣＤパネル及び対応する発光ユニットのほとんどで達成可能な輝度レベルがコンピュータの画像を表示するユーザーの実際の必要性を超えているという認識に基づいている。最近では、２５０ニト（ｎｉｔｓ）よりも大きな出力輝度を持つＬＣＤパネルを見ることは容易である。４００ニトを持つパネルでさえも市場で入手可能である。しかしながら、大規模な市場調査は、コンピュータの画像を表示するとき、典型的なユーザーは、輝度を約１７０ニトよりも高くないレベルに設定することを証明している。本発明は、ＬＣＤパネルの最大能力とコンピュータの画像を表示するユーザーの実際の必要性との間の差を利用する。
【０００８】
この発光システムによって発生した光の量は、ＣＲＴの場合のように、スクリーンにわたり動的に変えることができない。選択されたエリア又は窓をハイライトにする代わりに、駆動電子機器は、（例えばテキストのような合成画像を有する）スクリーンの残りの部分を例えば１７０ニトに薄暗くさせ、制御信号は、発光システムの光出力をこのシステムの最大輝度に増大させるようにモニターに送られる。例として、３００ニトを発生することができるＬＣＤパネルは、選択された窓では３００ニトの出力輝度を、及びスプレッドシート又はグラフのような合成画像を示すスクリーンの残りの部分では１７０ニトの出力輝度を発生させる。上述の数の全ては、単なる例として述べたものであり、異なるスクリーンの大きさ又は異なる嗜好を持つ別のユーザーに対し異なっていてもよいことは明白にすべきである。
【０００９】
本発明に従うシステムにおいて、例えばＬＣＤモニターのようなＬＣＤユニットは、ビデオ信号を表示するためのＬＣＤ装置又はパネルと、このＬＣＤ装置を照明するための発光ユニットとを有する。例えばパーソナルコンピュータのような信号発生ユニットは、ビデオ信号とこの表示されるビデオ信号の輝度が増大しなければならないことを示す制御信号とを供給する。ＬＣＤユニットは、この信号発生ユニットにより供給される制御信号が輝度を増大させることを示すとき、既定量ずつ発光ユニットの光出力を増大させる。本システムは更に、制御信号が輝度を増大させることを示すとき、前記一部の外側にあるビデオ信号の振幅を減少させる振幅修正手段を有する。他の実施例から明らかとなるように、この振幅修正手段は、信号発生ユニット又はＬＣＤユニット内に置かれてもよい。この振幅修正手段が信号発生ユニット内に置かれる場合、この信号発生ユニットによって供給される制御情報は、発生した光の量を変化させるように前記発光ユニットを制御するための情報を有することだけを必要とする。振幅修正手段がＬＣＤユニット内に置かれる場合、この信号発生ユニットによって供給される制御情報は、発生した光の量を変化させるように前記発光ユニットを制御するための情報と、前記振幅修正手段がビデオ信号の振幅を適合させなければならないときを示す他の情報とを有する必要がある。前記一部は、ＬＣＤ装置上のエリアに対応している。
【００１０】
請求項２に記載されるような本発明の実施例において、ＬＣＤユニットは、入力ビデオ信号を入力し、表示ビデオ信号をＬＣＤ装置へ供給するビデオ処理回路を有する。前記信号発生ユニットは、この入力ビデオ信号を供給するための（一般的にはグラフィックスアダプタ又はビデオカードとも呼ばれる）ビデオアダプタと前記制御情報を発生させる制御ユニットとを有する。
【００１１】
請求項３に記載されるような本発明の実施例において、振幅修正手段は、制御信号が輝度を増大させることを示すとき、前記一部の外側にあるビデオ信号の振幅を減少させるので、この一部が属していない表示ビデオ信号の光出力（及び、所望するなら、色属性）は、ほぼ一定に保たれる。輝度が増大しなければならない表示ビデオ信号の一部は、ＬＣＤスクリーン上のエリアに対応する。このエリアは、オペレーティングシステムＷｉｎｄｏｗｓ（Ｒ）によって作られるような長方形の窓でもよい。このエリアは、他のどんな形状でもよい。このエリアは、テキストの文字間にある背景情報からなっていてもよい。
【００１２】
請求項４に記載されるような本発明の実施例において、振幅修正手段は、制御信号に応じて入力ビデオ信号の振幅を制御する制御可能な増幅器を有する。
【００１３】
請求項５に記載されるような本発明の実施例において、振幅修正手段は、コンピュータ内にある。例えば、乗算型デジタル−アナログ変換器及びカラーＬＵＴ（ｃｏｌｏｒ Ｌｏｏｋ−Ｕｐ Ｔａｂｌｅ）を有する適当なグラフィックスアダプタが使用される。この乗算型デジタル−アナログ変換器は、ビデオ信号の振幅を局部的に減少させるように制御されてもよい。ＬＵＴは、値をメモリに記憶させることによって普通に実施される。ビデオ信号（通常は３つのＲＧＢ信号）は、前記メモリに記憶された因子によって乗算される。このメモリは、対応する因子を供給するための所望の訂正に従ってアドレッシングされる。本実施例は、ビデオ情報の振幅を減少させるべきエリアを決める情報がコンピュータからモニターへ供給される制御信号に含まれる必要はないという利点を有する。
【００１４】
請求項６に記載されるような本発明の実施例において、振幅修正手段はコンピュータ内にある。ここで計算ユニットは、マイクロプロセッサでもよく、グラフィックスアダプタのメモリ内のデータに適合させ、ソフトウェアの制御下でビデオ信号の振幅を局部的に減少させてもよい。
【００１５】
請求項７に記載されるような本発明の実施例において、マイクロプロセッサは、ユーザーの入力命令に応じて制御信号を発生させる。例えば、ユーザーは、発光ユニットの光出力が増大しなければならない量を示してもよい。代わりに、ユーザーがどの既定エリア又は窓がハイライトしなければならないかを示してもよい。
【００１６】
請求項８に記載されるような本発明の実施例において、コンピュータは、制御信号がモニターへ効果的に転送されるように、この制御信号を符号化する符号化器を有する。好ましくは、この制御信号は、ビデオ信号又は同期信号に符号化される。このようにして、制御信号は、コンピュータとモニターとの間にある基本的なインタフェースを介して転送される。普通、ビデオ信号は、Ｒ，Ｇ及びＢ信号を有している。制御信号は、発光システムにより発生すべき光の量に関する情報、及びハイライトされなければならない画像のエリアに関する情報又はこのエリアにおいてビデオ信号の振幅が表示される輝度をほぼ一定に保つように減少されなければならないことを示す補足情報を有する信号でもよい。これらエリアは、エリアの座標によって示されてもよい。前記モニターは、発光システムを制御する制御情報と、制御可能な増幅器の増幅因子及び／又はＬＵＴ（モニター内に存在するならば）とを回復するための復号器を有する。
【００１７】
ユーザーが発光システムの光出力の増大を最大値よりも低い値に制御することが可能である。
【００１８】
本発明は、公開されていない特許出願を構成する出願人の明細書ＰＨＮ１７．７８４に記載されたのと同じ稼動及び通信方法に基づいている。コンピュータ内の（他にはライトフレーム（ＬｉｇｈｔＦｒａｍｅ）と呼ばれる）アプリケーションソフトウェアができるだけ早く起動され、このコンピュータが強調（ｅｎｈａｎｃｅｄ）されるべき画像を有する選択された窓の座標を適当な規約（プロトコル）を用いてビデオケーブルを介しモニターへ送る。このモニターにおいて、復号器は、空間座標を有するこの情報を、モニター回路によって前記選択されたエリアだけにビデオ処理を施すように用いられる適当な情報に翻訳する。このコンピュータにおいてビデオ処理を実行することも可能である。
【００１９】
窓の選択は、前記特徴を稼動した後に選択すべき窓上をクリックすることでユーザーにより手動で行っても、適当なアルゴリズムを介して自動的に行われてもよい。
【００２０】
【発明の実施の形態】
本発明のこれら及び他の様相は、以下に記載した実施例から明らかであり、この実施例を参照して説明される。
【００２１】
信号発生ユニットＰＣは、ビデオ信号ＶＳ及び制御情報ＣＩをＬＣＤユニットＭＯＮに供給する。この信号発生ユニットＰＣは、パーソナルコンピュータでもよい。ＬＣＤユニットは、コンピュータのモニターでもよく、ビデオ信号ＶＳを表示するためのＬＣＤ装置ＬＰと、このＬＣＤ装置ＬＰを照明するためのランプを備える発光ユニットＬＵとを有する。この発光ユニットＬＵは更に、このランプに電力を供給するためのスイッチモード電源（図示せず）を有してもよい。発光ユニットは、ビデオ信号ＶＳの一部がより高い輝度で表示されるべきである場合、前記ランプによって発生した光の量を増大させる制御情報ＣＩにより制御される。
【００２２】
このシステムは更に、ビデオ信号ＶＳの一部がより高い輝度で表示されるべきである場合、前記制御情報ＣＩに応じて、この一部の外側にあるビデオ信号ＶＳの振幅を増大させるビデオ振幅修正手段ＡＭ１；ＡＭ２；ＣＵ（図２、３及び４を参照）を有する。
【００２３】
このようにして、発光ユニットによって発生した光の量が増大し、高い輝度で表示されるべきではないビデオ信号の部分に対するビデオ信号のビデオ振幅が減少するとき、本システムはビデオ信号ＶＳの既定部分の輝度を増大させる。
【００２４】
発光ユニットの制御は、前記ランプに電力供給するスイッチングインバータの動作周波数を変えることにより達成される。
【００２５】
実施例において、この振幅修正手段は、ビデオ信号ＶＳの各ビデオ色信号Ｒ，Ｇ，Ｂ（図示せず）に０から１の数値範囲をデジタルで乗算することによってビデオ信号ＶＳの輝度を調節する。乗算因子が１の場合、輝度は最大レベルとなる。乗算因子が０の場合、画像は真っ黒になる。これら３つの色信号に対する乗算因子が同じである場合、画像の色温度はほぼ同じままで、出力光（ＬＣＤ装置によって発生した光）の量だけが変化する。実際には、色温度を一定に保つために、異なる色信号の乗算因子を別々に適合させる必要がある。この画像の色温度を故意に変化させることも可能である。
【００２６】
本システムの動作は例として説明される。ユーザーは、１７０ニトの出力光でスプレッドシートに作業を行っていると仮定する。ある時において、ユーザーはビデオクリップを放映する窓を開き、（他にはライトフレームと呼ばれる）コンピュータＰＣ内のアプリケーションを稼動する。ビデオクリップを放映する窓における輝度強調機能を達成するために、できるだけ早くライトフレームが起動される。
コンピュータＰＣは、輝度が増大すべきことを示す制御情報ＣＩを発生させるステップ、
発光ユニットＬＵは、輝度が増大すべきことを示す制御情報ＣＩに応じて、この発光ユニットの光出力を例えば３００ニトのレベルに増大させるステップ、
ビデオ信号ＶＳの輝度のレベルは、一時的にメモリに記憶されるステップ、
制御情報ＣＩは、ＬＣＤユニットＭＯＮ内において復号され、ビデオクリップを放映する窓の位置が特定されるステップ、及び
（本実施例ではスプレッドシートである）窓の外側にあるエリアに関する３つの色信号は、前記エリアの輝度が１７０ニトとなり、色温度は、発光ユニットＬＵの光出力を増大させる前と同じ値にするように、因子Ｋｒ，Ｋｇ，Ｋｂで乗算されるステップ、
がほぼ同時に実行される。
【００２７】
示されるこれらステップの全てが制限時間内に達成される場合、ユーザーは、ビデオクリップを放映する窓の輝度が増大したことにまさに気付くことだろう。
【００２８】
ライトフレームが稼動していないとき、電子機器は、
ビデオ信号が１で乗算され、
発光ユニットＬＵの光出力は、出力される輝度がライトフレームの稼動前と同じレベルであるように減少させる、
ようなアクションを実行する戻りの経路を辿らなければならない。この輝度レベルは前記メモリから抽出される。
【００２９】
この場合、ユーザーは、ビデオクリップを放映する窓の内側の輝度が減少することにまさに気付くことだろう。
【００３０】
本発明は、上述の実施例に制限されることはない。発光ユニットの光出力が増大する量よりも少ない又は多い量でビデオ信号ＶＳの振幅を減少させることが可能である。しかしながら、ハイライトにすべきエリア（例えばビデオクリップを放映する窓）の輝度は、他のエリア（例えばスプレッドシートを示す窓）の輝度よりも高いことが必要不可欠である。
【００３１】
図１は、ビデオ信号ＶＳ及び制御情報ＣＩがＬＣＤモニターのインタフェースＩ２に搬送されるように、コンピュータＰＣのインタフェースＩ２にそれぞれ設けられていることを示している。図２に示されるように、ビデオ信号ＶＳ及び制御情報ＣＩが共に同じ接続を介して輸送されてもよい。コンピュータＰＣ及びモニターＭＯＮは共に別々の装置でもよく、インタフェースＩ１及びＩ２は、例えば標準的なＶＧＡ又はＤＶＩケーブルのようなケーブルによって相互接続される。コンピュータＰＣ及びモニターＭＯＮが共に同じ物理的なエンティティにあってもよいが、インタフェースＩ１及びＩ２は共に、導電性接続という以外、実際に物理的には存在しない。
【００３２】
図２は、本発明によるシステムの実施例のブロック図を示す。図２において、パーソナルコンピュータである信号発生ユニットＰＣは、入力ビデオ信号ＶＳ及び同期信号Ｓを供給するビデオアダプタＶＡと、制御情報ＣＩを発生させる制御ユニットＢＣＵとを有する。このビデオアダプタＶＡは、例えばパーソナルコンピュータから一般的に知られている。制御回路ＢＣＵは、適当にプログラムされたマイクロプロセッサでもよい。図２に示すような本発明の実施例において、コンピュータＰＣは更に、入力装置ＩＤ及び符号化器ＥＮを有する。この入力装置ＩＤは、ユーザー命令ＩＤＤを制御ユニットＢＣＵ内のマイクロプロセッサに供給するユーザー入力ＵＩを入力する。例えば、このユーザー入力は、輝度が増大すべき窓を示すマウスクリック及び／又は輝度が増大すべき量でもよい。符号化器ＥＮは、インタフェースＩ１上の符号化信号ＣＭを得るために、ビデオ信号ＶＳ及び／又は同期信号Ｓに関する制御情報を符号化する。可能な符号化スキームの実施例は、米国特許公報ＵＳ−Ａ−５，５５０，５５６号から知られている。
【００３３】
ＬＣＤユニットＭＯＮは、標準的なＶＧＡ／ＤＶＩケーブルによってインタフェースＩ１に接続されるインタフェースＩ２上に符号化信号ＣＭを入力する。このＬＣＤユニットＭＯＮは、符号化信号ＣＭから（通常はＲＧＢ信号である）ビデオ信号ＶＳ及び制御情報ＣＩを復号する復号器ＤＥを有する。この制御信号ＣＩは、制御可能な増幅器ＡＭ１を制御するための第１制御信号ＡＣＳと、発光ユニットＬＵを制御するための第２制御信号ＬＣＳとを得るために復号される。ビデオ処理回路ＶＰは、例えば色対応調整（ｃｏｎｔｒａｓｔ ｃｏｎｔｒｏｌ）により知られるような制御可能な増幅器又はＬＵＴである振幅修正手段ＡＭ１を有する。この振幅修正手段ＡＭ１は、入力ビデオ信号ＶＳ及び制御信号ＡＣＳを入力し、表示ビデオ信号ＶＳ２をＬＣＤ装置ＬＰへ供給する。この振幅修正手段ＡＭ１は、制御情報ＡＣＳに応じて表示ビデオ信号ＶＳ２の振幅を制御する。ＬＣＤユニットは更に、ＬＣＤ装置ＬＰを照明する光の量を制御する制御情報ＬＣＳを入力する発光ユニットＬＵを有する。図２に示される本発明に従う実施例は、図１に示される本発明に従う実施例と同じように動作する。コンピュータＰＣは、表示される画像の既定エリアがより高い輝度で表示されなければならないことを制御情報ＣＩで示す。従って、制御情報ＣＩは、表示される画像のエリア全体において発光ユニットの光出力を増大させることをこの発光ユニットＬＵに示す命令ＬＣＳ、及び発生する時間又は既定エリアの位置に関する情報ＡＣＳを有するので、振幅修正手段ＡＭ１は、既定エリアの外側にあるビデオ信号ＶＳ２の振幅を減少させるように正確に制御され、この既定エリアの外側の輝度は、当該既定エリアの内側の輝度よりも低くなる。
【００３４】
情報ＡＣＳは、増大しなければならない光出力の量に関する情報を持ってもよい。モニターＭＯＮがハイライトすべきエリアを正確に決めることができるように転送される情報の例は、公開されていない特許出願を構成する出願人の明細書ＰＨＮ１７．７８４に記載されている。
【００３５】
図３は、本発明に従うシステムの実施例のブロック図を示す。図３において、パーソナルコンピュータである信号発生ユニットＰＣは、入力ビデオ信号ＶＳ及び同期信号Ｓを供給するビデオアダプタＶＡ、並びに制御情報ＣＩを発生させる制御ユニットＢＣＵを有する。このビデオアダプタＶＡは、ビデオメモリＶＭ及び制御増幅器ＡＭ２である振幅修正手段を有する。この制御回路ＢＣＵは、適当にプログラムされたマイクロプロセッサでもよい。このマイクロプロセッサは、普通のやり方でビデオ情報ＶＤＩをビデオメモリＶＭに書き込む（書き込み命令をする）。このビデオメモリＶＭから読み出されたビデオ情報ＶＤの振幅は、制御信号ＣＩの制御下で制御可能な増幅器ＡＭ２によって制御される。この制御可能な増幅器ＡＭ２は、制御情報ＣＩに応じてビデオ信号ＶＳの振幅を制御する。このビデオ情報ＶＤは、デジタルデータでもよく、制御可能な増幅器ＡＭ２は、デジタル乗算機又はＬＵＴでもよい。ビデオ情報ＶＤは、アナログ信号でもよく、制御可能な増幅器ＡＭ２は、色対応調整から知られるようなアナログ乗算機でもよい。
【００３６】
ＬＣＤユニットＭＯＮは、ビデオ信号ＶＳ（通常はＲＧＢ信号）及び制御情報ＣＩをコンピュータＰＣから入力する。ビデオ処理回路ＶＰは、入力ビデオ信号ＶＳを入力し、表示ビデオ信号ＶＳ２をＬＣＤ装置ＬＰに供給する。ＬＣＤユニットは更に、ＬＣＤ装置ＬＰを照明する光の量を制御する制御情報ＣＩを入力する発光ユニットＬＵを有する。図３に示される本発明による実施例は、図２に示される本発明による実施例と同じように動作する。コンピュータＰＣは、表示された画像の既定エリアがより高い輝度で照明されなければならないことを制御情報ＣＩで示す。これによって、制御情報ＣＩは、発光ユニットの光出力を増大させることを発光ユニットＬＵに示す命令と、発生する時間又は既定エリアの位置及び振幅が減少すべき量に関する情報とを有するので、制御可能な増幅器ＡＭ２は、前記既定エリアの外側にあるビデオ信号ＶＳの振幅を正確な量で減少させるように正確に制御される。ビデオ信号ＶＳの振幅が減少するとき制御可能な増幅器ＡＭ２に前記制御情報を示す第１の制御信号と、増大させることを発光ユニットＬＵに発光ユニットの光出力を示す第２の制御信号とである２つの別々の制御信号に分割することが可能である。ここで、モニターＭＯＮとコンピュータＰＣとの間の通信チャンネルは、双方向チャンネルにすべきである。ライトフレームを稼動する前にユーザーが使用していた光の量は、周囲のエリアを同じレベルに調節するために、モニターＭＯＮからコンピュータＰＣへ通信されなければならない。このような通信は、ＵＳＢバスを介して可能である。
【００３７】
図４は、本発明によるシステムの実施例のブロック図を示す。図４において、パーソナルコンピュータである信号発生ユニットＰＣは、入力ビデオ信号ＶＳ及び同期信号Ｓを供給するビデオアダプタＶＡと、制御情報ＣＩを発生させる制御ユニットＢＣＵとを有する。この制御ユニットは、適当にプログラムされたマイクロプロセッサでもよい計算ユニットＣＵを有する。ビデオアダプタＶＡは、ビデオメモリＶＭ及びアナログ−デジタル変換器ＡＤを有する。振幅修正手段は、計算ユニットＣＵを用いて前記メモリＶＭに書き込まれたビデオデータＶＤＩを修正することにより達成される。例えば、輝度が増大しなければならないエリアの外側にあるビデオ信号の振幅が因子０．７により低くされなければならないとき、このメモリ内のデータの全ては本来の値の０．７倍に再計算される。必要ならば、ビデオメモリＶＭから読み出されたデジタルデータＤＤをアナログビデオ信号に変換する。ビデオアダプタＶＡは更に、普通のやり方で同期信号Ｓを供給する。
【００３８】
コンピュータＰＣは更に、制御ユニットＢＣＵ内のマイクロプロセッサにユーザー命令ＩＤＤを供給するユーザー入力ＵＩを入力する入力装置ＩＤを有する。例えば、このユーザー入力は、輝度を増大すべき窓を示すマウスクリック及び／又は輝度が増大すべき量でもよい。
【００３９】
ＬＣＤユニットＭＯＮは、図３に関して記載されたＬＣＤユニットと同じであり、従って再度説明は行わない。この状況において、モニターとＰＣとの間の２方向通信も必要である。
【００４０】
図４に示される本発明による実施例は、図３に示される本発明による実施例と同じように動作する。コンピュータＰＣは、表示される画像がより高い輝度で生じされるべきであることを制御情報ＣＩに示す。従って、制御情報ＣＩは、発光ユニットの光出力を増大させることを発光ユニットＬＵに示す命令と、発生時間又は既定エリアの位置に関する情報を有するので、制御ユニットＣＵは、正しい因子で正しいデータを再計算し、既定エリアの外側にあるビデオ信号ＶＳの振幅を減少させることを可能にする。制御情報をビデオ信号ＶＳの振幅を減少させるとき、制御ユニットＣＵに指示する第１の制御信号と、発光ユニットＬＵの光出力を増大させることをこの発光ユニットＬＵに指示する第２の制御信号とである２つの別々の制御信号に分割することも可能である。
【００４１】
上述の実施例は本発明を制限するのではなく説明することであり、当業者は、添付される請求項の範囲から逸脱することなく多くの代わりの実施例を設計することが可能であることに注意されたい。これら請求項において、括弧の間に置かれる如何なる参照符号も請求項を制限すると解釈するものではない。「有する」及びそれの活用形を使用することは、請求項で述べた要素又はステップ以外の要素又はステップの存在を排除するものではない。本発明は、幾つかの別個の要素を有するハードウェアを用いて、適当にプログラムされたコンピュータを用いて実施される。幾つかの手段を列挙している装置の請求項において、これら手段の幾つかがハードウェアの同じアイテムにより具現化されてもよい。
【図面の簡単な説明】
【図１】本発明によるシステムの実施例の基本的なブロック図を示す。
【図２】本発明によるシステムの実施例のブロック図を示す。
【図３】本発明によるシステムの実施例のブロック図を示す。
【図４】本発明によるシステムの実施例のブロック図を示す。
【国際公開パンフレット】
2004518174.tif 000003
2004518174.tif 000004
2004518174.tif 000005
2004518174.tif 000006
2004518174.tif 000007
2004518174.tif 000008
2004518174.tif 000009
2004518174.tif 000010
2004518174.tif 000011
2004518174.tif 000012
2004518174.tif 000013
2004518174.tif 000014
2004518174.tif 000015
2004518174.tif 000016
2004518174.tif 000017
2004518174.tif 000018
2004518174.tif 000019
2004518174.tif 000020
【国際調査報告】
2004518174.tif 000021
2004518174.tif 000022
2004518174.tif 000023
2004518174.tif 000024